(57)【特許請求の範囲】
【請求項１】
無線通信環境において動作する装置であって、前記装置は、
一次同期チャネルにおいて、基地局からサービスエリア内の端末により第１の符号系列を受信する手段と、ここで、前記第１の符号系列は、直交周波数分割多重化シンボル境界検出、スロット境界検出、およびサブフレーム境界検出を円滑にし、完全なセル識別符号の一部分を伝送する、
二次同期チャネルにおいて、前記基地局から前記サービスエリア内の端末により第２の符号系列を受信する手段と、ここで、前記第２の符号系列は、前記完全なセル識別符号の残りの部分を伝送する、
前記基地局からの中継要求に基づいて、スケジュールされた時間に、前記サービスエリア内で前記完全なセル識別符号を獲得するのに失敗した別の端末に、前記受信した第１および第２の符号系列を中継する手段とを備え、
前記中継を行う間、前記基地局からの前記第１および第２の符号系列の送信は一時的に停止される、装置。
【請求項２】
ブロードキャストチャネルにおいて、無線システム帯域幅を伝送する符号系列を受信する手段をさらに備える請求項１に記載の装置。
【請求項３】
前記第１及び第２の符号系列の前記中継をトリガすべき時刻をスケジュールする手段をさらに備える請求項１に記載の装置。
【請求項４】
無線通信環境において動作する装置であって、前記装置は、
一次同期チャネルにおいて、基地局からサービスエリア内の端末に第１の符号系列を送信する手段と、ここで、前記第１の符号系列は、直交周波数分割多重化シンボル境界検出、スロット境界検出、およびサブフレーム境界検出を円滑にし、完全なセル識別符号の一部分を伝送する、
二次同期チャネルにおいて、前記基地局から前記サービスエリア内の端末に第２の符号系列を送信する手段と、ここで、前記第２の符号系列は、前記完全なセル識別符号の残りの部分を伝送する、
前記完全なセル識別符号を獲得するのに成功した端末に対して、前記サービスエリア内で前記完全なセル識別符号を獲得するのに失敗した別の端末へ、前記第１および第２の符号系列を中継する要求を送信する手段とを備える、装置。
【請求項５】
ブロードキャストチャネルにおいて、無線システム帯域幅を伝送する符号系列を送信する手段をさらに備える請求項４に記載の装置。
【請求項６】
前記第１及び第２の符号系列は、１．２５ＭＨｚで送信される請求項４に記載の装置。
【請求項７】
システム帯域幅が５ＭＨｚより小さい場合、１．２５ＭＨｚで、また、システム帯域幅が、５ＭＨｚ以上である場合、５ＭＨｚで、前記ブロードキャストチャネルにおいて前記第１及び第２の符号系列を送信するようにさらに構成される請求項５に記載の装置。
【請求項８】
前記ブロードキャストチャネルにおいて送信された符号系列を中継する要求を送信する手段とをさらに備える請求項５に記載の装置。
【請求項９】
無線通信システムにおいて使用される方法であって、前記方法は、
一次同期チャネルにおいて、基地局からサービスエリア内の端末により第１の符号系列を受信することと、ここで、前記第１の符号系列は、直交周波数分割多重化シンボル境界検出、スロット境界検出、およびサブフレーム境界検出を円滑にし、完全なセル識別符号の一部分を伝送する、
二次同期チャネルにおいて、前記基地局から前記サービスエリア内の端末により第２の符号系列を受信することと、ここで、前記第２の符号系列は、前記完全なセル識別符号の残りの部分を伝送する、
前記基地局からの中継要求に基づいて、スケジュールされた時間に、前記サービスエリア内で前記完全なセル識別符号を獲得するのに失敗した別の端末に、前記受信した第１および第２の符号系列を中継することとを備え、
前記中継を行う間、前記基地局からの前記第１および第２の符号系列の送信は一時的に停止される、方法。
【請求項１０】
無線通信システムにおいて使用される方法であって、前記方法は、
一次同期チャネルにおいて、基地局からサービスエリア内の端末に第１の符号系列を送信することと、ここで、前記第１の符号系列は、直交周波数分割多重化シンボル境界検出、スロット境界検出、およびサブフレーム境界検出を円滑にし、完全なセル識別符号の一部分を伝送する、
二次同期チャネルにおいて、前記基地局から前記サービスエリア内の端末に第２の符号系列を送信することと、ここで、前記第２の符号系列は、前記完全なセル識別符号の残りの部分を伝送する、
前記完全なセル識別符号を獲得するのに成功した端末に対して、前記サービスエリア内で前記完全なセル識別符号を獲得するのに失敗した別の端末へ、前記第１および第２の符号系列を中継する要求を送信することとを備える、方法。
【請求項１１】
ブロードキャストチャネルにおいて無線システム帯域幅を伝送する符号系列を送信することをさらに備える請求項１０に記載の方法。
【発明の詳細な説明】
【関連出願の相互参照】
【０００１】
[0001]
本出願は、「A METHOD AND APPARATUS FOR ACQUISITION IN FDMA SYSTEMS」という名称の２００６年８月２３日に出願された米国特許仮出願第６０／８３９，９５４号の利益を主張する。本出願の全体が、参照により本出願に組み込まれている。
【技術分野】
【０００２】
[0002]  以下の説明は、一般に、無線通信に関し、詳細には、セル獲得、ならびに同期チャネルおよびブロードキャストチャネルを使用してセル情報を獲得するためのシーケンスに関する。
【背景技術】
【０００３】
[0003]  無線通信システムは、音声、ビデオ、データなどの様々なタイプの通信コンテンツを提供するように広く展開されている。これらのシステムは、利用可能なシステムリソース（例えば、帯域幅および伝送電力）を共有することによって複数のユーザとの通信をサポートすることができる多元接続システムであることが可能である。そのような多元接続システムの例には、ＣＤＭＡ（符号分割多元接続）システム、ＴＤＭＡ（時間分割多元接続）システム、ＦＤＭＡ（周波数分割多元接続）システム、およびＯＦＤＭＡ（直交ＦＤＭＡ）システムが含まれる。しかし、多くの利用可能な無線通信システムの特性にかかわらず、これらのシステムのそれぞれにおいて、端末装置または無線デバイスは、電源投入時に、動作可能になるためにセル獲得またはセル探索を実行しなければならない。セル獲得は、端末装置が、ネットワークとの時間同期および周波数同期、セルＩＤ、ならびにシステム帯域幅や、セル送信機のアンテナ構成などの動作に不可欠なシステム情報のさらなる識別を獲得する手順である。
【０００４】
[0004]  ３Ｇ  ＬＴＥ（登録商標）（Third Generation Long Term Evolution）またはＥ−ＵＴＲＡ（Evolution Universal Terrestrial Radio Access）のような無線システムにおいて、直交周波数分割多重化においてシンボル間干渉を軽減する巡回プレフィックスの存在や、ダウンリンクシステム帯域幅バーサティリティ（versatility）（例えば、３Ｇ  ＬＴＥシステムは、複数のＢＷ、すなわち、１．２５ＭＨｚ、１．６ＭＨｚ、２．５ＭＨｚ、５ＭＨｚ、５ＭＨｚ、１０ＭＨｚ、１５ＭＨｚ、および２０ＭＨｚに対応可能であり得る）などの、より高い通信パフォーマンスのための有利な特徴が、初期セル獲得中に独特の複雑さをもたらしている。時間同期、すなわち、シンボル境界、つまり、０．５ミリ秒スロット境界、１ミリ秒サブフレーム境界、５ミリ秒１／２無線フレーム境界、および完全な１０ミリ秒無線境界、ならびに４０ミリ秒ブロードキャストチャネル伝送時間間隔の検出、ならびにダウンリンク周波数が、アップリンク伝送のための周波数基準として使用されることが可能であるように、ダウンリンク周波数を獲得することを必然的に伴う周波数同期の他に、セル獲得のために使用されるべき帯域幅、セル獲得中に使用されるべき物理チャネル、および、より重要なことには、セル獲得中にそれらのチャネルによって伝送されるべき情報を特定することなどの複雑さが、存在する。これらの問題に対処することに多くの労力が注がれてきたが、関係者らは、これまで、高速で、信頼でき、最小限のリソースしか消費しないセル獲得プロトコルについてわずかしか合意に至っていない。したがって、これらの特性を有するセル獲得プロトコルの必要性が、存在する。
【発明の概要】
【０００５】
[0005]  以下に、開示される実施形態のいくつかの態様の基本的理解をもたらすために、簡略化された概要を提示する。この概要は、広範な概説ではなく、重要な要素、または不可欠な要素を特定することも、そのような実施形態の範囲を線引きすることも意図していない。この概要の目的は、後段で提示されるより詳細な説明の前置きとして、説明される実施形態のいくつかの概念を簡略化された形態で提示することである。
【０００６】
[0006]  或る態様によれば、無線通信環境において動作する装置であって、この装置は、一次同期チャネルにおいて、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を受信するように構成されたプロセッサと、データを格納するために、このプロセッサに結合されたメモリとを備える。
【０００７】
[0007]  或る態様によれば、無線通信環境において動作する装置であって、この装置は、一次同期チャネルにおいて、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を送信するように構成されたプロセッサと、データを格納するために、このプロセッサに結合されたメモリとを備える。
【０００８】
[0008]  或る態様によれば、直交周波数分割多元接続を使用する無線通信環境において動作する装置であって、この装置は、複数の副搬送波間隔において複数のセル情報を同時に獲得する複数の検出構成要素と、これらの複数のセル情報を処理するように構成されたプロセッサと、データを格納するために、このプロセッサに結合されたメモリとを備える。
【０００９】
[0009]  或る態様によれば、無線通信環境において動作する装置であって、この装置は、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を受信するための手段と、無線フレーム境界、部分的なセル識別符号またはセル識別符号全体、およびブロードキャストチャネル帯域幅の指示の少なくとも１つを伝送する二次同期チャネルシンボルの１つまたは複数の符号系列を受信するための手段とを備える。
【００１０】
[0010]  或る態様によれば、マシンによって実行されると、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を受信すること、無線フレーム境界、セル識別符号の一部分、または完全なセル識別符号、およびブロードキャストチャネル帯域幅の指示の少なくとも１つを伝送する二次同期チャネルシンボルの１つまたは複数の符号系列を受信すること、および巡回プレフィックスタイミングおよび無線システム帯域幅の少なくとも１つを伝送するブロードキャストチャネルシンボルの符号系列を受信することを含む動作をマシンに実行させる命令を備えるマシン可読媒体。
【００１１】
[0011]  或る態様によれば、マシンによって実行されると、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を１．２５ＭＨｚで送信すること、および無線フレーム境界、セル識別符号の一部分、または完全なセル識別符号、およびブロードキャストチャネル帯域幅の指示の少なくとも１つを伝送する二次同期チャネルシンボルの１つまたは複数の符号系列を１．２５ＭＨｚで送信することを含む動作をマシンに実行させる命令を備えるマシン可読媒体。
【００１２】
[0012]  或る態様によれば、無線通信システムにおいて使用される方法であって、この方法は、Ｐ−ＳＣＨ（一次同期チャネル）において、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を受信すること、Ｓ−ＳＣＨ（二次同期チャネル）において、無線フレーム境界、部分的なセル識別符号またはセル識別符号全体、およびブロードキャストチャネル帯域幅の指示の少なくとも１つを伝送する１つまたは複数の符号系列を受信すること、ＢＣＨ（ブロードキャストチャネル）において、巡回プレフィックスタイミングおよび無線システム帯域幅の少なくとも１つを伝送する符号系列を受信すること、およびＰ−ＳＣＨ符号系列、Ｓ−ＳＣＨ符号系列、およびＢＣＨ符号系列を処理して、これらの符号系列によって伝送されるセル情報を抽出することを備える。
【００１３】
[0013]  或る態様によれば、無線通信システムにおいて使用される方法であって、この方法は、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を送信すること、無線フレーム境界、部分的なセル識別符号またはセル識別符号全体、およびブロードキャストチャネル帯域幅の指示の少なくとも１つを伝送する二次同期チャネルシンボルの１つまたは複数の符号系列を送信すること、およびブロードキャストチャネルにおいて、巡回プレフィックスタイミングおよび無線システム帯域幅の少なくとも１つを伝送する符号系列を送信することを備える。
【００１４】
[0014]  以上、および関連する目的を達するのに、１つまたは複数の実施形態が、後段で十分に説明され、特許請求の範囲において特に指摘される特徴を備える。後段の説明、および添付の図面は、いくつかの例示的な態様を詳細に示し、それらの実施形態の原理が使用されることが可能である様々な仕方のいくつかだけを示す。その他の利点、および新奇な特徴は、図面と併せて考慮されると、後段の詳細な説明から明白となり、開示される実施形態は、すべてのそのような態様、および均等の態様を含むことを意図している。
【図面の簡単な説明】
【００１５】
【図１】[0015]  ユーザ機器が基地局からセル情報を獲得するシステムを示す図。
【図２】[0016]  ＭＩＭＯ送信機および受信機を示すブロック図。
【図３】[0017]  ＭＵ−ＭＩＭＯ構成を示すブロック図。
【図４】[0018]  Ｐ−ＳＣＨ符号、Ｓ−ＳＣＨ符号、およびＢＣＨ符号の送信構成を示す図。
【図５Ａ】[0019]  同期チャネル帯域幅利用およびブロードキャストチャネル帯域幅利用を示す図。
【図５Ｂ】同期チャネル帯域幅利用およびブロードキャストチャネル帯域幅利用を示す図。
【図６】[0020]  同期チャネルおよびブロードキャストチャネルによって伝送される情報を示す図。
【図７Ａ】[0021]  セル獲得のシーケンスを示す図。
【図７Ｂ】セル獲得のシーケンスを示す図。
【図７Ｃ】セル獲得のシーケンスを示す図。
【図８Ａ】[0022]  セル情報を中継することを示す図。
【図８Ｂ】セル情報を中継することを示す図。
【図９Ａ】[0023]  端末装置が周波数再使用を用いて動作するセルを同時に獲得するシステムを示す図。
【図９Ｂ】端末装置が周波数再使用を用いて動作するセルを同時に獲得するシステムを示す図。
【図９Ｃ】端末装置が周波数再使用を用いて動作するセルを同時に獲得するシステムを示す図。
【図１０】[0024]  端末装置が周波数再使用を用いて動作する複数のセルを同時に獲得するシステムのアーキテクチャを示すブロック図。
【図１１】[0025]  セル獲得を実行する方法を示す流れ図。
【図１２】[0026]  セル同期情報を中継する方法を示す流れ図。
【図１３Ａ】[0027]  周波数再使用を用いてセル情報を送信する方法を示す流れ図。
【図１３Ｂ】周波数再使用を用いてセル情報を受信する方法を示す流れ図。
【図１４】[0028]  １つまたは複数の態様による一次同期チャネルシンボルの符号系列、および二次同期チャネルシンボルの符号系列を受信することを可能にする例示的なシステムを示す図。
【発明を実施するための形態】
【００１６】
[0028]  次に、様々な実施形態が、図面を参照して説明され、すべての図面で、同様の符号が、同様の要素を参照するのに使用される。後段の説明では、説明のため、多数の特定の詳細が、１つまたは複数の実施形態の徹底的な理解をもたらすために示される。しかし、そのような実施形態は、これらの特定の詳細なしに実施されてもよいことが明白であり得る。その他、よく知られた構造およびデバイスは、１つまたは複数の実施形態を説明するのを円滑にするため、ブロック図形態で示される。
【００１７】
[0029]  本出願で使用される「例示的な」という語は、例、実例、または例示の役割をすることを意味するように使用される。本明細書で「例示的」であると説明される態様または設計は、必ずしも、他の態様、または他の設計よりも好ましい、または有利であると解釈されるべきではない。むしろ、例示的という語は、概念を具体的な仕方で提示することを意図している。
【００１８】
[0030]  さらに、「または」という語は、排他的な「または」ではなく、包含的な「または」を意味することを意図している。つまり、特に明記しない限り、または文脈から明らかでない限り、「Ｘは、ＡまたはＢを用いる」は、自然な包含的置換のいずれかを意味することを意図している。つまり、Ｘが、Ａを用いる場合、Ｘが、Ｂを用いる場合、またはＸが、ＡとＢの両方を用いる場合、「Ｘは、ＡまたはＢを用いる」は、以上の事例のいずれの下においても満たされる。さらに、本出願、および添付の特許請求の範囲で使用される冠詞、「或る（「a」および「an」）」は、特に明記しない限り、または単数形に向けられていることが文脈から明らかでない限り、「１つまたは複数の」を意味すると一般に解釈されるべきである。
【００１９】
[0031]  本出願で使用される「構成要素」、「モジュール」、「システム」などの用語は、ハードウェア、ファームウェア、ハードウェアとソフトウェアの組み合わせ、ソフトウェア、または実行中のソフトウェアであるコンピュータ関連のエンティティを指すことを意図している。例えば、構成要素は、プロセッサ上で実行されているプロセス、プロセッサ、オブジェクト、実行可能ファイル、実行のスレッド、プログラム、および／またはコンピュータであることが可能であるが、以上であることに限定されない。例として、コンピューティングデバイス上で実行されているアプリケーションと、そのコンピューティングデバイスはともに、構成要素であることが可能である。１つまたは複数の構成要素が、プロセス内、さらに／または実行のスレッド内に存在することが可能であり、構成要素は、１つのコンピュータ上に局所化されること、さらに／または２つ以上のコンピュータの間で分散されることが可能である。さらに、これらの構成要素は、様々なデータ構造が格納されている様々なコンピュータ可読媒体から実行されることが可能である。これらの構成要素は、１つまたは複数のデータパケットを有する信号に従うなどして、ローカルプロセスおよび／または遠隔プロセスを介して通信することができる（例えば、この信号を介して、１つの構成要素からのデータが、ローカルシステムにおいて、分散システムにおいて、および／または他のシステムを相手にしたインターネットなどのネットワークを介して別の構成要素と対話して）。
【００２０】
[0032]  さらに、様々な実施形態が、移動デバイスに関連して本明細書で使用される。移動デバイスは、システム、加入者ユニット、加入者局、移動局、移動体、遠隔局、遠隔端末装置、アクセス端末装置、ユーザ端末装置、端末装置、無線通信デバイス、ユーザエージェント、ユーザデバイス、またはＵＥ（ユーザ機器）と呼ばれることも可能である。移動デバイスは、セルラー電話機、コードレス電話機、ＳＩＰ（セッション開始プロトコル）電話機、ＷＬＬ（無線ローカルループ）局、ＰＤＡ（パーソナルディジタルアシスタント）、無線接続能力を有するハンドヘルドデバイス、コンピューティングデバイス、または無線モデムに接続された他の処理デバイスであることが可能である。さらに、様々な実施形態が、基地局に関連して本明細書で説明される。基地局は、移動デバイスと通信するために利用されることが可能であり、アクセスポイント、ノードＢ、または他の何らかの用語で呼ばれることも可能である。
【００２１】
[0033]  本明細書で使用される「プロセッサ」という語は、従来のアーキテクチャまたは量子コンピュータを指すことが可能である。従来のアーキテクチャは、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を使用するマルチコアプロセッサ、並列プラットフォーム、および分散型共有メモリを有する並列プラットフォームを備えるが、以上を備えることに限定されない。さらに、プロセッサは、ＡＳＩＣ（特定用途向け集積回路）を指すことも可能である。量子コンピュータアーキテクチャは、ゲート量子ドットまたは自己組織化量子ドット、核磁気共鳴プラットフォーム、超伝導ジョセフソン接合などで実現された量子ビットに基づくことが可能である。プロセッサは、空間使用を最適化するため、またはユーザ機器のパフォーマンスを向上させるために、分子ドットベースのトランジスタや量子ドットベースのトランジスタ、スイッチおよびゲートなどの、ただし、以上には限定されない、ナノスケールのアーキテクチャを活用することが可能である。
【００２２】
[0034]  この説明において、「メモリ」という用語は、データストア、アルゴリズムストア、ならびにイメージストア、ディジタル音楽−ビデオストア、チャート、およびデータベースなどの、ただし、以上には限定されない、その他の情報ストアを指す。本明細書で説明されるメモリ構成要素は、揮発性メモリまたは不揮発性メモリであることが可能であり、あるいは揮発性メモリと不揮発性メモリの両方を含むことも可能であることが認められよう。例として、限定としてではなく、不揮発性メモリには、ＲＯＭ（読取り専用メモリ）、ＰＲＯＭ（プログラマブルＲＯＭ）、ＥＰＲＯＭ（電気的にプログラミング可能なＲＯＭ）、ＥＥＰＲＯＭ（登録商標）（電気的に消去可能なＲＯＭ）、またはフラッシュメモリが含まれることが可能である。揮発性メモリには、外部キャッシュメモリの役割をするＲＡＭ（ランダムアクセスメモリ）が含まれることが可能である。例として、限定としてではなく、ＲＡＭは、ＳＲＡＭ（synchronous RAM）、ＤＲＡＭ（dynamic RAM）、ＳＤＲＡＭ（synchronous DRAM）、ＤＤＲ  ＳＤＲＡＭ（double data rate SDRAM）、ＥＳＤＲＡＭ（enhanced SDRAM）、ＳＬＤＲＡＭ（Synchlink DRAM）、およびＤＲＲＡＭ（direct Rambus RAM）などの多くの形態で利用可能である。さらに、本明細書におけるシステムおよび／または方法の開示されるメモリ構成要素は、これら、および他の任意の適切なタイプのメモリを、それらに限定されることなしに、備えることが意図される。
【００２３】
[0035]  さらに、本明細書で説明される様々な態様および特徴は、標準のプログラミング技術、および／または標準のエンジニアリング技術を使用する方法、装置、または製造品として実施されることが可能である。本明細書で使用される「製造品」という用語は、任意のコンピュータ可読デバイス、コンピュータ可読キャリア、またはコンピュータ可読媒体からアクセス可能なコンピュータプログラムを包含することを意図している。例えば、コンピュータ可読媒体には、磁気記憶デバイス（例えば、ハードディスク、フロッピー(登録商標）ディスク、磁気帯など）、光ディスク（例えば、ＣＤ（コンパクトディスク）、ＤＶＤ（ディジタルバーサタイルディスク）など）、スマートカード、およびフラッシュメモリデバイス（例えば、ＥＰＲＯＭ、カード、スティック、キードライブなど）が含まれることが可能であるが、以上には限定されない。さらに、本明細書で説明される様々な記憶媒体は、情報を格納するための１つまたは複数のデバイス、および／または他のマシン可読媒体を表すことが可能である。「マシン可読媒体」という用語には、命令および／またはデータを格納すること、含有すること、および／または運ぶことができる無線チャネル、および他の様々な媒体が、以上に限定されることなしに、含まれることが可能である。
【００２４】
[0036]  Ｐ−ＳＣＨ（一次同期チャネル）上、Ｓ−ＳＣＨ（二次同期チャネル）上、およびＢＣＨ（ブロードキャストチャネル）上で送信される符号系列に基づいてセル獲得を実行するシステムおよび方法が、以降に説明される。Ｐ−ＳＣＨ、Ｓ−ＳＣＨ、ＢＣＨによって伝送される情報の詳細、および、この情報が伝送される順序が、提示される。さらに、セル獲得情報の中継、ならびに無線システムが周波数再使用を用いて動作する際の複数セル獲得が、説明される。
【００２５】
[0037]  図１は、ユーザ機器１２０が、ダウンリンク１６０経由でＰ−ＳＣＨ（一次同期チャネル）１６２、Ｓ−ＳＣＨ（二次同期チャネル）１６４、およびＢＣＨ（ブロードキャストチャネル）１６６において送信された符号系列を介して基地局１４０からセル情報を獲得する、システム１００を示す。ユーザ機器１２０は、検出構成要素１２２と、プロセッサ１２４と、メモリ１２６とを備えることが可能である。基地局１４０は、系列ジェネレータ（sequence generator）構成要素１４２と、プロセッサ１４４と、メモリ１４６とを備えることが可能である。系列ジェネレータ構成要素１４２は、システム帯域幅、基地局１４０におけるアンテナ構成（後段を参照）、セルＩＤ（識別）などのセル探索情報を含むことが可能な符号系列を生成する。系列は、Ｎシンボル長であることが可能であり、シンボルの中のビットの数は、使用される変調配置（modulation constellation）（例えば、ＢＰＳＫ、ＱＰＳＫ、１６−ＱＡＭ、６４−ＱＡＭ）に依存する。系列は、擬似ランダム符号［例えば、ゴールド系列、ウォルシュ−アダマール系列、Ｍ系列（最大長系列）、および偽雑音系列］、または一般化されたチャープ様の系列（例えば、ザドフ−チュー（Zadoff-Chu））であることが可能である。ＯＦＤＭＡ（直交周波数分割多元接続）において、情報ストリームは、周波数スパンΔυ／Ｍをそれぞれが有するＭ個の周波数副搬送波のセットにマップされ、ただし、Δυは、システム帯域幅（例えば、１．２５ＭＨｚ、２．５ＭＨｚ、５ＭＨｚ、１０ＭＨｚ、１５ＭＨｚ、２０ＭＨｚ）である。副搬送波は、通常、直交トーンである。Ｓ／Ｐ（シリアル−パラレル）構成要素１５０が、Ｎシンボル長の系列を解析してｎ個のシンボルのフレームにして、それらｎ個のシンボルをＭ個の副搬送波にマップする。（Ｓ／Ｐ構成要素１５０は、図１に示されるとおりスタンドアロンの構成要素であるのではなく、系列ジェネレータ構成要素１４４の中に存在することも可能であることに留意されたい。）ＩＦＦＴ（離散逆高速フーリエ変換）構成要素１５２が、並行フレームの中のシンボルの時間表現を生成する。（構成要素１５２は、プロセッサ１４２の一部になっていることも可能であることを認識されたい。）ＩＦＦＴを適用した後、ＣＰ（巡回プレフィックス）が、送信される各無線サブフレームの中の時間領域シンボルの始めに追加される。ＣＰは、ＩＳＩ（シンボル間干渉）およびＩＣＩ（搬送波間干渉）を防止するようにガード間隔として導入される。パラレル−シリアル変換器（図示せず）が、系列ジェネレータ構成要素１４２によって生成された各系列に関する時間領域ストリームを生成し、それらのストリームが、ダウンリンク１６０において送信される。Ｐ−ＳＣＨ１６２、Ｓ−ＳＣＨ１６４、およびＢＣＨ１６６に関する符号系列が、生成されて、送信される。
【００２６】
[0038]  また、基地局１４０は、ＡＩ（人工知能）構成要素１４８を含むことも可能である。「知能」という用語は、システムについての既存の情報に基づいて、システムの現在の状態、または将来の状態について推理する、または結論を導き出す、例えば、推論する能力を指す。人工知能は、人間の介入なしに、或る特定のコンテキストまたはアクションを識別するのに、またはシステムの特定の状態の確率分布を生成するのに使用されることが可能である。人工知能は、システムに関する利用可能なデータ（情報）のセットに、高度な数学的アルゴリズム、例えば、決定木、ニューラルネットワーク、回帰分析、クラスタ分析、遺伝的アルゴリズム、および強化学習を適用することに依拠する。特に、ＡＩ構成要素１４８は、以降に説明される様々な自動化された態様を実施することに従って、データから学習して、次に、そのように構築されたモデルから推論を導き出すための多数の方法、例えば、ＨＭＭ（隠れマルコフモデル）、および関連する原型的な依存関係モデル、例えば、ベイズモデルスコアまたはベイズモデル近似を使用する構造探索によって作成されたベイズネットワークなどの、より一般的な確率グラフモデル、ＳＶＭ（サポートベクトルマシン）などの線形クラシファイア（classifier）、「ニューラルネットワーク」方法と呼ばれる方法などの非線形クラシファイア、ファジー論理方法、およびデータ融合を実行する他のアプローチなどの１つを使用することができる。
【００２７】
[0039]  ユーザ機器１２０内で、相関器１２８と、高速フーリエ変換構成要素とを備えることが可能な検出構成要素１２２が、Ｐ−ＳＣＨ１６２符号、Ｓ−ＳＣＨ１６４符号、およびＢＣＨ１６６符号を検出し、ユーザ機器１２０が基地局１４０と通信することを可能にするセル獲得を実行する。本出願の態様による検出、ならびにＰ−ＳＣＨ符号、Ｓ−ＳＣＨ符号、およびＢＣＨ符号によって伝送される情報は、後段でより詳細に提示される。
【００２８】
[0040]  図２は、本明細書で説明される１つまたは複数の態様による、無線通信環境においてセクタ通信を提供することができるＭＩＭＯ（多入力多出力）システムにおける送信機システム２１０（基地局１４０などの）および受信機システム２５０（例えば、ユーザ機器１２０）の或る実施形態のブロック図である。送信機システム２１０において、いくつかのデータストリームに関するトラヒックデータが、データソース２１２からＴＸ（送信）データプロセッサ２１４に供給されることが可能である。或る実施形態では、各データストリームは、それぞれの送信アンテナを介して送信される。ＴＸデータプロセッサ２１４は、符号化されたデータをもたらすようにそのデータストリームのために選択された特定の符号化スキームに基づいて、各データストリームに関するトラヒックデータをフォーマットし、符号化し、インターリーブする。各データストリームに関する符号化されたデータは、ＯＦＤＭ技術を使用してパイロットデータで多重化されることが可能である。パイロットデータは、通常、知られている仕方で処理される、知られているデータパターンであり、受信機システムにおいてチャネル応答を推定するのに使用されることが可能である。各データストリームに関する多重化されたパイロットデータと符号化されたデータは、次に、変調シンボルをもたらすようにそのデータストリームに関して選択された特定の変調スキーム［例えば、ＢＰＳＫ（２位相偏移変調）、ＱＰＳＫ（４位相偏移変調）、Ｍ−ＰＳＫ（多位相偏移変調）、またはＭ−ＱＡＭ（多重直交振幅変調（m-order quadrature amplitude modulation））］に基づいて変調される（例えば、シンボルマップされる）。各データストリームに関するデータレート、符号化、および変調は、プロセッサ２３０によって実行される命令によって決定されることが可能である。
【００２９】
[0041]  次に、すべてのデータストリームに関する変調シンボルが、ＴＸ  ＭＩＭＯプロセッサ２２０に供給され、プロセッサ２２０は、これらの変調シンボルをさらに処理することが可能である（例えば、ＯＦＤＭ）。次に、ＴＸ  ＭＩＭＯプロセッサ２２０は、ＮＴ個のＴＭＴＲ（送信機）２２２ａないし２２２ｔにＮＴ個の変調シンボルストリームを供給する。いくつかの実施形態では、ＴＸ  ＭＩＭＯプロセッサ２２０は、これらのデータストリームのシンボル、および、このシンボルの送信元のアンテナにビーム形成重み（またはプリコーディング）を適用する。各送信機２２２が、それぞれのシンボルストリームを受け取り、処理して、１つまたは複数のアナログ信号をもたらし、これらのアナログ信号をさらに調整して（例えば、増幅し、フィルタリングし、さらに、アップコンバートして）、ＭＩＭＯチャネルを介して送信するのに適した、変調された信号をもたらす。次に、送信機２２２Ａないし２２２ＴからのＮＴ個の変調された信号が、ＮＴ個のアンテナ２２４１ないし２２４Ｔからそれぞれ送信される。受信機システム２５０において、送信された、変調信号が、ＮＲ個のアンテナ２５２１ないし２５２Ｒによって受信され、各アンテナ２５２からの受信された信号が、それぞれのＲＣＶＲ（受信機）２５４Ａないし２５４Ｒに供給される。各受信機２５４は、受信されたそれぞれの信号を調整し（例えば、フィルタリングし、増幅し、さらに、ダウンコンバートし）、この調整された信号をディジタル化してサンプルをもたらし、これらのサンプルをさらに処理して、対応する「受信された」シンボルストリームをもたらす。
【００３０】
[0042]  次に、ＲＸデータプロセッサ２６０が、或る特定の受信機処理技術に基づいて、ＮＲ個の受信機２５４からＮＲ個の受信されたシンボルストリームを受け取り、処理して、ＮＴ個の「検出された」シンボルストリームをもたらす。次に、ＲＸデータプロセッサ２６０は、検出された各シンボルストリームを復調し、逆インターリーブし、復号して、そのデータストリームに関するトラヒックデータを回復する。ＲＸデータプロセッサ２６０による処理は、送信機システム２１０においてＴＸ  ＭＩＭＯプロセッサ２２０およびＴＸデータプロセッサ２１４によって実行される処理と相補的である。プロセッサ２７０は、いずれのプリコーディングマトリックスを使用すべきかを周期的に決定する（後段で説明される）。プロセッサ２７０は、マトリックスインデックス部分と、ランク値部分とを備える逆リンクメッセージを作成する。この逆リンクメッセージは、通信リンク、または受信されたデータストリーム、あるいは通信リンクと受信されたデータストリームの組み合わせに関する様々なタイプの情報を備えることが可能である。次に、この逆リンクメッセージが、ＴＸデータプロセッサ２３８によって処理され、プロセッサ２３８は、変調器２８０によって変調され、送信機２５４Ａないし２５４Ｒによって調整され、送信機システム２１０に送り返される、データソース２３６からのいくつかのデータストリームに関するトラヒックデータも受け取る。
【００３１】
[0043]  送信機システム２１０において、受信機システム２５０からの変調された信号が、アンテナ２２４によって受信され、受信機２２２によって調整され、復調器２４０によって復調され、ＲＸデータプロセッサ２４２によって処理されて、受信機システム２５０によって送信された逆リンクメッセージが抽出される。次に、プロセッサ２３０が、ビーム形成重みを決定するために、いずれのプリコーディングマトリックスを使用すべきかを決定し、この抽出されたメッセージを処理する。
【００３２】
[0044]  単一ユーザＭＩＭＯ動作モードが、図２に示されるとおり、前述した動作に従って、単一の受信機システム２５０が送信機システム２１０と通信する事例に相当する。そのようなシステムにおいて、ＮＴ個の送信機２２４１〜２２４Ｔ（ＴＸアンテナとしても知られる）とＮＲ個の受信機２５２１〜２５２Ｒ（ＲＸアンテナとしても知られる）が、無線通信に関するマトリックスチャネル（例えば、レイリー（Rayleigh）チャネルまたはガウスチャネル）を形成する。ＳＵ−ＭＩＭＯチャネルは、ランダムな複素数のＮＲ×ＮＴマトリックスによって記述される。チャネルのランクは、ＮＲ×ＮＴチャネルの代数的ランク（algebraic rank）と等しい。空間−時間符号化または空間−周波数符号化において、ランクは、チャネルを介して送信されるデータストリームの数、または層の数と等しい。ランクは、せいぜい、ｍｉｎ｛ＮＴ，ＮＲ｝と等しいことを認識されたい。ＮＴ個の送信アンテナとＮＲ個の受信アンテナによって形成されたＭＩＭＯチャネルは、空間チャネルとも呼ばれる、ＮＶ個の独立したチャネルに分解されることが可能であり、ただし、ＮＶ≦ｍｉｎ｛ＮＴ，ＮＲ｝である。ＮＶ個の独立したチャネルのそれぞれが、次元に対応する。
【００３３】
[0045]  一態様において、トーンωで、ＯＦＤＭを使用する送信された／受信されたシンボルは、以下によってモデル化されることが可能である。すなわち、
【数１】
0006301532.tif 000002
【００３４】
ここで、ｙ（ω）は、受信されたデータストリームであるとともに、ＮＲ×１ベクトルであり、Ｈ（ω）は、トーンωにおけるチャネル応答ＮＲ×ＮＴマトリックス（例えば、時間依存のチャネル応答マトリックスｈのフーリエ変換）であり、ｃ（ω）は、ＮＴ×１出力シンボルベクトルであり、さらに、ｎ（ω）は、ＮＲ×１雑音ベクトル（例えば、加法白色ガウス雑音）である。プリコーディングが、ＮＶ×１層ベクトルをＮＴプリコーディング出力ベクトルに変換することができる。ＮＶは、送信機２１０によって送信されたデータストリーム（層）の実際の数であり、さらに、ＮＶは、少なくとも或る程度、チャネル条件、ならびに端末装置によって報告されたランクに基づいて、送信機（例えば、基地局１４０）の自由裁量でスケジュールされることが可能である。ｃ（ω）は、送信機によって適用された、少なくとも１つの多重化スキーム、および少なくとも１つのプリコーディング（またはビーム形成）スキームの結果であることを認識されたい。さらに、ｃ（ω）には、送信機２１０が、各データストリームＮＶを送信するのに割り当てる電力量を決定する電力利得マトリックスが畳み込まれる（convoluted）。この送信において用いられる正味電力は、無線通信している送信機に関する送信電力の規制された値を上限とする。
【００３５】
[0046]  システム２００（図２）において、ＮＴ＝ＮＲ＝１である場合、システムは、本明細書で説明される１つまたは複数の態様に従って、無線通信環境においてセクタ通信を提供することができるＳＩＳＯ（単一入力単一出力）システムに還元される。
【００３６】
[0047]  図３は、３つのＵＥ１２０Ｐ、１２０Ｕ、および１２０Ｓが基地局１４０と通信する、例示的な複数ユーザＭＩＭＯシステム３００を示す。基地局は、ＮＴ個のＴＸアンテナを有し、ＵＥのそれぞれは、複数のＲＸアンテナを有し、すなわち、ＵＥＰが、ＮＰ個のアンテナ２５２１〜２５２Ｐを有し、ＵＥＵが、ＮＵ個のアンテナ２５２１〜２５２Ｕを有し、ＵＥＳが、ＮＳ個のアンテナ２５２１〜２５２Ｓを有する。端末装置と基地局の間の通信は、アップリンク３１５Ｐ、３１５Ｕ、および３１５Ｓを介して実施される。同様に、ダウンリンク３１０Ｐ、３１０Ｕ、および３１０Ｓが、それぞれ、基地局１４０と端末装置ＵＥＰ、ＵＥＵ、およびＵＥＳの間の通信を円滑にする。さらに、各端末装置と基地局の間の通信は、図２、および図２に対応する説明に示されるとおり、実質的に同一の仕方で、実質的に同一の構成要素を介して実施される。端末装置は、基地局１４０によるサービスを受けるセル内の実質的に様々なロケーションに位置することが可能であるため、各端末装置１２０Ｐ、１２０Ｕ、および１２０Ｓは、独自のランクを伴って、独自のマトリックスチャネルｈα、および独自の応答マトリックスＨα（α＝Ｐ、Ｕ、およびＳ）を有する。セル内干渉が、基地局１４０によるサービスを受けるセル内に存在する複数のユーザに起因して、存在する可能性がある。図３に３つの端末装置を有して例示されているものの、ＭＵ−ＭＩＭＯシステムは、インデックスｋで後段に示される、任意の数の端末装置を備えることが可能であることを認識されたい。
【００３７】
[0048]  一態様において、トーンωで、ユーザｋに関して、ＯＦＤＭを使用する送信された／受信されたシンボルは、以下によってモデル化されることが可能である。すなわち、
【数２】
0006301532.tif 000003
【００３８】
[0049]  ここで、記号は、式（１）の場合と同一の意味を有する。マルチユーザダイバーシティのため、ユーザｋによって受信される信号における他ユーザ干渉が、式（２）の左側における第２の項を使用してモデル化されることを認識されたい。このプライム（′）記号は、送信されたシンボルベクトルＣｋが、この加算から除外されることを示す。このシリーズにおける項は、送信機（例えば、基地局１４０）によって、セル内のその他のユーザに送信されたシンボルの、ユーザｋによる受信（ユーザｋのチャネル応答Ｈｋを介する）を表す。セル間干渉は、チャネル条件を少なくとも或る程度、決定し、このため、ＭＵ−ＭＩＭＯ動作において決定される送信機におけるチャネル状態情報（ＣＳＩＴ）は、前述したＳＵ−ＭＩＭＯ動作におけるＣＳＩＴとは本質的に異なる可能性があることが、直ちに明らかである。
【００３９】
[0050]  図４は、Ｐ−ＳＣＨ符号、Ｓ−ＳＣＨ符号、およびＢＣＨ符号の送信構成の例示的な図４１０、４２０、および４３０を示す。前述したとおり、送信は、１ミリ秒のサブフレームと、０．５ミリ秒のスロットとを有する１０ミリ秒の無線フレームの中で達せられる。シンボルは、そのようなフレームの中で送信される。３Ｇ  ＬＴＥにおいて、各サブフレームの中のシンボルの数は、ＣＰの長さに依存し、すなわち、長いＣＰ（例えば、１６．６７マイクロ秒）の場合、１フレーム当たり６つのシンボルが収容されるのに対して、短いＣＰ（例えば、４．６９マイクロ秒）の場合、７つのシンボルが収容されることを認識されたい。符号シンボルは、サブフレームの中の利用可能なシンボルの１つまたは複数を占めることが可能である。さらに、送信される系列符号は、Ｐ−ＳＣＨの場合、Ｎシンボル長であることが可能であり、Ｓ−ＳＣＨの場合、Ｍシンボル長であることが可能であり、ＢＣＨの場合、Ｌシンボル長であることが可能であり、整数、Ｎ、Ｍ、Ｌは、異なることも、等しいことも可能である。図４１０、４２０、および４３０は、異なる「次数（order）」を有するＮシンボルストリーム（Ｎ＝Ｍ＝Ｌ）の例示的な事例を示し、ただし、この次数は、各フレームの中で送信されるシンボルの数によって与えられる。送信構成の次数は、検出の効率に影響を与える可能性があり、すなわち、高次の送信は、低次の構成と比べて、より迅速な検出を許すことが可能であり、したがって、より迅速なセル獲得を許すことが可能であるが、基地局（例えば、基地局１４０）が、Ｐ−ＳＣＨ符号、Ｓ−ＳＣＨ符号、およびＢＣＨ符号などの獲得符号を絶えず送信するため、高次の構成は、獲得が達せられた後、データレートに悪影響を及ぼす可能性がある。獲得符号は、サービスセル内の端末装置（例えば、ユーザ機器１２０）が、非同期にオンにされる、または適切な同期なしに周辺セルから、そのセルに非同期に入るため、絶えず送信されることに留意されたい。
【００４０】
[0051]  図４１０は、次数３の送信構成を示し、ただし、Ｐ−ＳＣＨ符号の１つのシンボル、Ｓ−ＳＣＨ符号の１つのシンボル、およびＢＣＨの１つのシンボルが、各フレームの中で送信される。Ｐ−ＳＣＨ符号シンボルが、無線フレーム境界を基準にして時間τ、遅延されて、最初に送信され、Ｓ−ＳＣＨ符号シンボルが、時間τＳＰ遅延されて、その後に続き、さらに、ＢＣＨ符号シンボルが、τＢＳ時間後に送信される。ＢＣＨシンボルから無線フレーム境界までの時間は、τ′である。τ、τＳＰ、τＢＳ、およびτ′は、フレーム境界およびサブフレーム境界の検出を容易にするように設計パラメータとして使用されることが可能であることに留意されたい。送信構成４１０において、符号長は、無線フレーム数に相応している（例えば、３×Ｎ個のシンボルが、Ｎ個の無線フレームの中で伝送される）。図４２０は、各フレームの中で２つのシンボルが送信され、シンボルが、後続のフレームを循環的に占有する、次数２の構成を示す。そのような送信構成において、送信されるシンボルは、フレームに相応していない。したがって、情報は、後段で説明されるとおり、３チャネル符号を使用して特定のセル情報を伝送するために冗長に送信されることが可能である。次数１構成の送信は、Ｐ−ＳＣＨ、Ｓ−ＳＣＨ、およびＢＣＨに関する符号の順次の送信に相当する。次数１の送信において、より高次の場合より遅い可能性があるセル獲得の後、そのような送信は、次数３の構成と比べて、帯域幅をより効率的に使用することが可能である。単一の検出構成要素（例えば、検出構成要素１２２）を有する端末装置（例えば、ユーザ機器１２０）において、セル獲得は、階層的に行われることが可能であり、例えば、Ｐ−ＳＣＨ符号の中で伝送される情報が、最初に獲得され、その後に、Ｓ−ＳＣＨ符号の中の情報、およびＢＣＨの中で伝送される情報の獲得が続くことを認識されたい。４１０、４２０、および４３０以外の送信構成も可能であり、本出願の範囲内にあることを認識されたい。
【００４１】
[0052]  図５Ａおよび図５Ｂは、或る態様による例示的なシステム帯域幅（例えば、１．２５ＭＨｚ、５ＭＨｚ、５ＭＨｚ、１０ＭＨｚ、および２０ＭＨｚ）に関するＰ−ＳＣＨ符号系列、Ｓ−ＳＣＨ符号系列、およびＢＣＨ符号系列を送信するための帯域幅利用の２つのスキーム５１０および５２０を示す。獲得符号（例えば、ユーザ機器１２０などの無線デバイスに動作上のセル情報を伝える符号）は、（ａ）システムが獲得されるまで、システム帯域幅が知られていないという事実、（ｂ）伝送される情報の特定の性質、および（ｃ）短い符号（小さいＮ）を使用して、そのような情報を伝送する可能性のため、システム帯域幅のほんの一部を使用する可能性がある。このため、この帯域幅の残りの部分が、ユーザデータ送信および局データ送信（ユーザデータ、チャネル品質指標チャネル、肯定応答チャネル、負荷指標チャネルなど）のために使用されることが可能である。或る態様において、同期チャネル（一次と二次の両方）およびブロードキャストチャネルは、システム帯域幅にかかわらず、１．２５ＭＨｚで送信されることが可能である（スキーム５１０）。例として、３Ｇ  ＬＴＥにおいて、８３の副搬送波が、そのような周波数間隔の中に収容されることが可能である。別の態様において、同期チャネルは、システム帯域幅にかかわらず、１．２５ＭＨｚで送信されることが可能であるのに対して、ブロードキャストチャネルは、システム帯域幅が１．２５ＭＨｚである場合、１．２５ＭＨｚで送信されることが可能であり、ＢＷが、より広い場合、５ＭＨｚで送信されることが可能である（スキーム５２０）。
【００４２】
[0053]  図６は、或る態様による同期チャネルおよびブロードキャストチャネルによって伝送される情報を示す。６１０に提示されるとおり、ＳＣＨに関する符号系列が、（１）ＯＦＤＭシンボル境界検出、（２）粗い周波数同期、（３）無線フレーム境界検出、（４）ＣＰ（巡回プレフィックス）タイミング、（５）セル識別、および（６）ＢＣＨ帯域幅指示のために使用されることが可能である。特に、一次同期チャネルは、粗い周波数同期のため、ならびにＯＦＤＭシンボル境界、スロット境界、およびサブフレーム時間境界のために使用されることが可能である。適切な送信構成で、二次同期チャネルは、５ミリ秒１／２無線フレーム境界および１０ミリ秒無線フレーム境界の検出のために使用されることが可能である。６２０に示されるとおり、ＢＣＨに関する符号系列が、（ａ）ＣＰタイミング、（ｂ）システム帯域幅、および（ｃ）基地局アンテナ構成、周辺セル情報などの他のシステム情報のために利用されることが可能である。タイミング情報、ならびに周波数同期が、検出構成要素１２２内の相関器１２８、およびプロセッサ１２４によって獲得されることが可能である。ダウンリンク１６０を介して送信される、繰り返される系列が、相関器１２８によって検出され、タイミングメトリックが、プロセッサ１２４によって計算される。Ｍｏｏｓｅ法、Ｖａｎ  Ｄｅ  Ｂｅｅｎｋ法、およびＳｃｈｍｉｄｌ法などのタイミング同期方法および周波数同期方法が、フレーム境界およびサブフレーム境界、ならびに周波数オフセットを推定するために、送信される符号の繰り返されるセクションを有する特定の符号系列を提案する。シンボル境界検出、ＣＰ持続時間、および周波数同期のために、他の方法も可能であることを認識されたい。タイミング同期および周波数同期の後、システム情報（例えば、セルＩＤ、ＢＣＨおよびシステム帯域幅、基地局のアンテナ構成）を伝送する符号系列が、検出構成要素１２２内のＦＴＴ構成要素１３０によって復調されることが可能であり、さらに、セル獲得が、完了することが可能である。
【００４３】
[0054]  パネル６１０および６２０の中にリストアップされる情報を伝送することは、Ｐ−ＳＣＨ符号系列、Ｓ−ＳＣＨ符号系列、およびＢＣＨ符号系列の組み合わせを介して達せられることが可能である。図７Ａ、図７Ｂ、および図７Ｃは、本出願の態様によるセル獲得シーケンスを示す。そのような態様の１つにおいて、獲得シーケンス７２５（図７Ａ）が、７３０で、ＰＳＣ（一次同期符号）系列の（タイミングまたは相関の）検出を介してＯＦＤＭシンボル境界を獲得し、Ｐ−ＳＣＨが、１．２５ＭＨｚで送信される（図５Ａ）。すべてのセルは、同一のＰＳＣ系列を送信し、前述したとおり、この系列は、一般化されたチャープ様の系列（例えば、ザドフ−チュー系列）、ウォルシュ−アダマール系列、ゴールド符号系列、Ｍ系列、偽雑音系列などであることが可能であるが、以上には限定されないことを認識されたい。周波数同期が、７３０で実行される。すると、７３５で、無線フレーム境界およびセルＩＤが、ＳＳＣ（二次同期符号）系列を介して検出され、Ｓ−ＳＣＨが、１．２５ＭＨｚで送信される（図５Ａ）。或る態様において、セルＩＤ情報を伝送するために、Ｓ−ＳＣＨにおいて送信される系列は、３Ｇ  ＬＴＥにおける可能な５１２個すべての仮説（セルＩＤの数）を示すように選択される。各セルＩＤ符号は、９ビットを使用して伝送されることが可能であることに留意されたい。７４０で、ＣＰ持続時間、ダウンリンクシステム帯域幅、および他のシステム情報が、１．２５ＭＨｚで送信された（図５Ａ）ブロードキャストチャネルの復調を介して獲得される。ＣＰタイミングは、シンボル境界が検出された後に検出されることが可能であることを認識されたい。さらに、ＣＰタイミングは、ＣＰ時間−ガード間隔が、受信機において（例えば、プロセッサ１２２によって）、周波数領域変調が時間領域シンボルストリームに変換（ＩＦＦＴ）された後に、追加され、ＣＰが、データの検出中にＦＦＴ前の状態において除去されるので、ＯＦＤＭデータシンボルをうまく復調するのに、ＯＦＤＭにおいて必要である。
【００４４】
[0055]  別の態様において、獲得シーケンス７５０が、７５５において、Ｐ−ＳＣＨ系列の復号中にＯＦＤＭシンボル境界およびＣＰタイミングを獲得する。１．２５ＭＨｚで送信された２つの系列（図５Ｂ）が、そのような獲得を実現するのに使用されることが可能である。シンボル間干渉を低減するのに、これらの系列は、直交である、例えば、ウォルシュ−アダマール符号であることが可能であるが、他の系列も企図されることが可能であり、本発明の範囲内にある。前述したシーケンス７２５の場合と同様に、すべてのセルは、２つのＰＣＳ系列のいずれかを送信する。Ｐ−ＳＣＨが検出されると、訓練系列またはパイロット系列以外のデータの変調が、達せられることが可能であることを認識されたい。また、周波数同期が、７５５で実行される。７６０で、１．２５ＭＨｚで送信されたＳ−ＳＣＨ系列（図５Ｂ）が、５１２のセルＩＤ符号を備えることが可能な１０２４個の仮説を記述するように設計される。１．２５ＭＨｚまたは５ＭＨｚであることが可能なＢＣＨ帯域幅の指示が、獲得される。７６５で、ＢＣＨ符号系列が、復調され、そのような系列は、局アンテナ構成、隣接セルＩＤなどの他のシステム情報を伝送する。ＢＣＨの中で送信される情報の量は、チャネル帯域幅に合わせて基準化されることが可能であることを認識されたい。さらに、シーケンス７５０は、ブロードキャストチャネルに関して可変の伝送帯域幅を許し、このため、通信オーバヘッドが、すべてのシステム帯域幅にわたって実質的に同一に保たれることが可能である。Ｐ−ＳＣＨ符号検出時のＣＰ持続時間検出のため、端末装置（例えば、ユーザ機器１２０）は、より少ないＢＣＨ復調仮説を有することをさらに認識されたい。
【００４５】
[0056]  さらに別の態様において、獲得シーケンス７７５が、代替として、ＳＣＨおよびＢＣＨによって伝送された情報を組み合わせることが可能である（図６）。すなわち、互いに直交であることが可能な、１．２５ＭＨｚで送信される２つのＰ−ＳＣＨ符号系列が、シンボルタイミング検出およびＢＣＨ  ＢＷ指示を助ける。さらに、周波数同期が、実行される。Ｓ−ＳＣＨチャネル符号系列が、１．２５ＭＨｚで送信され、周波数再使用が、そのような系列に適用される。周波数再使用は、隣接セルまたは周辺セルからの送信のために、利用可能な全部の副搬送波のなかから、様々な副搬送波セットを使用することを企図する。このため、系列周波数（トーン）マッピングは、再使用ファクタに依存することが可能である。或る態様において、Δυ＜５ＭＨｚを有するシステムに関して、１という再使用、例えば、利用可能な全体のシステム副搬送波セットを事実上、全く分割しないことが、用いられ、さらに、Δυ≧５ＭＨｚを有するシステムに関して、３という再使用、例えば、利用可能なシステム副搬送波を３つのサブセットに分割すること。例として、３Ｇ  ＬＴＥにおいて、Δυ＝２０ＭＨｚを有する無線送信システムが、４００の副搬送波の２つのセットと、４０１の副搬送波の１つのセットに分割されることが可能である。Ｓ−ＳＣＨの中で送信される系列は、５１２個の仮説（セルＩＤ）を伝送するように設計される。それでも、セルＩＤは、セルＩＤに必要な９ビットの一部をＰ−ＳＣＨの中で伝送し、残りのビットをＳ−ＳＣＨの中で伝送することによって、一部はＰ−ＳＣＨを介して、さらに、一部はＳ−ＳＣＨを介して伝送されることが可能であることを認識されたい。７９０で、ＢＣＨ符号系列が、システム帯域幅に依存して、１．２５ＭＨｚで、または５ＭＨｚで送信され（図５Ｂ）、ＣＰ持続時間、システムＢＷ情報、および他のシステム情報を伝送する。
【００４６】
[0057]  初期セル獲得が完了した後、端末装置（例えば、ユーザ端末装置１２０）が、実現された周波数同期を利用して、隣接セル探索を実行することが可能であることを認識されたい。時間同期システムにおいて、セル獲得を完了した端末装置は、隣接セルとの時間同期を有し、したがって、周辺セル検出は、隣接セルのセルＩＤ、ならびに周辺セル送信機におけるアンテナ構成などの他の不可欠な情報を識別することに還元される。代わりに、非同期システムの場合、端末装置は、周辺セルの完全なセル探索を繰り返す必要がある。セル検出に関連して基地局によって送信される符号系列は、セル獲得を行う端末装置内のメモリ（例えば、メモリ１２６）の中に格納されることが可能であることをさらに認識されたい。そのような情報は、端末装置が、複数の獲得シーケンス（例えば、獲得シーケンス７２５、７５０、７７５）の下でセル探索をシームレスに行うことを許すことができる。
【００４７】
[0058]  端末装置による探索獲得の成功は、チャネル条件（例えば、ＳＮＲ、ＳＩＮＲ）に依存する。劣悪なチャネル品質指標を有する端末装置は、アクセスポイント（例えば、基地局１４０）を相手に、機能する無線通信リンクを確立することができず、セル獲得に失敗する可能性がある。端末装置がセル獲得（同期）に成功することが可能な尤度を高めるのに、セル探索情報が、同期された端末装置から、劣悪なチャネル状態を有する端末装置に中継されることが可能である。図８Ａは、セル獲得（同期）を完了した端末装置１２０が、サービスセル８１０内の基地局１４０から、劣悪なチャネル条件を経験する可能性がある、同期されていない２つの端末装置８１５および８２５にセル情報を中継する、システム８００を示す。例示的なサービスセル８１０は、６角形であるが、セル形状は、特定のサービスエリアを範囲に含む特定のタイリング（tiling）によって規定されることを認識されたい。セル獲得中、端末装置１２０は、Ｐ−ＳＣＨ符号系列、Ｓ−ＳＣＨ符号系列、およびＢＣＨ符号系列をメモリ（例えば、メモリ１２６）の中に格納する。前述したとおり、そのような系列は、無線デバイス（例えば、端末装置１２０）が、基地局（例えば、基地局１４０）を相手に活動状態の通信リンク８５０を確立することを許す、動作上のセル情報を伝送する。セル獲得シーケンス（例えば、シーケンス７２５、７５０、および７７５）が、同期目的で、リンク８６０１を介して端末装置８１５に、リンク８６０２を介して端末装置８２５に中継される。すると、それらの端末装置は、アクセスポイント（例えば、基地局１４０）を相手にしたチャネル条件にかかわらず、同期されることが可能である。システム８００において、端末装置１２０は、基地局が行うのと実質的に同様の仕方で、同期符号系列を絶えず送信することに留意されたい。さらに、Ｐ−ＳＣＨ、Ｓ−ＳＣＨ、およびＢＣＨの同期符号系列を中継する際、使用される帯域幅は、基地局によって使用されるのと同一の帯域幅（例えば、１．２５ＭＨｚまたは５ＭＨｚ）でなくてもよい。
【００４８】
[0059]  同期情報を中継することにより、通信オーバヘッドが増大することに加えて、端末装置（例えば、端末装置１２０）アーキテクチャの複雑度が高まる可能性がある。通信オーバヘッドの増大を軽減するのに、端末装置は、図６Ｂの図８５０に示されるとおり、スケジュールされた特定の時刻に、例えば、｛τＰ，τＱ，τＲ｝に、特定の時間間隔の間、例えば、｛ΔτＰ，ΔτＱ，ΔτＲ｝の間、情報を中継することができる。そのような時刻および時間間隔は、単に例示的であり、中継することは、他の多くの異なる時刻および間隔で行われることが可能であることを認識されたい。そのような時刻は、端末装置のメモリ（例えば、メモリ１２６）の中に格納されることが可能であり、あるいは端末装置固有である、すなわち、この時間間隔が、電力リソース、アンテナ構成などの端末装置アーキテクチャに依存して、異なる端末装置に関して異なる値をとることが可能である。端末装置のプロセッサ（例えば、プロセッサ１２４）が、セル情報の中継がトリガされる時刻をスケジュールすることができ、さらに、このプロセッサは、情報の中継をトリガすることもできる。中継時間間隔が、時間限定であり得る事例において、セル情報を中継することは、非同期になる可能性があり、さらに、端末装置ダイバーシティ（例えば、サービスセル内の、同期された、いくつかの端末装置の存在）により、低いＳＮＲ（例えば、地理関連の劣悪な受信、または気象関連の劣悪な受信）を有する端末装置が、基地局を相手にした劣悪な通信条件が継続しながら、それでも、同期し、データを受信することができることが確実になることが可能である。電磁放射の電力損失は、放射源からの距離の２乗に反比例して減衰することが可能であることに留意されたい。したがって、ＳＮＲは、端末装置と基地局の間で劣悪である可能性があるが、それでも、ＳＮＲは、端末装置と、中継する端末装置（例えば、端末装置１２０、端末装置８３５）との間で、それらの端末装置が、地理的により近い可能性があるので、大幅に、より高い可能性がある。
【００４９】
[0060]  所定の時刻にセル情報を中継することの代替として、または、そうすることに加えて、同期された端末装置（例えば、端末装置１２０）が、中継周期（例えば、ΔτＰ、ΔτＱ、ΔτＲ）をトリガするように指示するパイロット系列を基地局から受信することが可能である。基地局内の人工知能構成要素が、サービスセル内の同期された端末装置の瞬間平均チャネル品質指標、または時間平均チャネル品質指標、および／または空間平均チャネル品質指標に基づいて、統計ベースの解析および／または効用解析を介して、セル情報を中継することを要求するパイロット信号をいつ送信すべきかを推論することができる。「中継要求」パイロット信号を送信した後に、基地局は、ダウンリンクにおいてセル情報を送信することを一時的に停止して、オーバヘッドを低減することができることに留意されたい。
【００５０】
[0061]  第２の同期された中継する端末装置（例えば、端末装置８３５）が、第１の中継する端末装置（例えば、端末装置１２０）が、所定の期間にわたって情報を中継した後、データを中継する積極的な役割を引き受けることが可能であり、その後、他の端末装置が、引き続き、データを中継することが可能であることを認識されたい。中継する端末装置のそれぞれは、図８Ｂの図８５０によって示されるとおり、時間依存の中継プロファイルを有することが可能である。或る態様において、音声、ビデオ、またはデータ無線転送、あるいは以上の任意の組み合わせが、ミッションクリティカルである環境において、セル探索中継が、使用されることが可能である。或る態様において、そのような環境は、敵情報（enemy  intelligence）への実質的に途絶のない無線アクセスが、ミッションクリティカルであり、さらに、ＳＮＲが、通常、建造物内および施設内で低い、市街戦の戦場であることが可能である。基地局は、装甲車において実現されて、無線通信のためのトランシーバが、移動端末装置を携帯する軍隊の小グループに兵站支援を提供することが可能である。軍隊が任務を遂行するなかで、十分なレベルのＳＮＲを有する移動端末装置のそれぞれが、これらの軍隊が、建物および施設に出入りし、したがって、クリティカルに低いＳＮＲ区域に入ったり、そのような区域を離れたりして、結果として生じる、セル獲得の必要性を伴う際に、同期情報を中継することができる。
【００５１】
[0062]  図９Ａは、端末装置９２０が、ダウンリンク９６０１〜９６０３を介して、隣接セル９４０１、９４０２、および９４０３を獲得することを、そのようなセルが周波数再使用を用いて動作する場合に、行う、システム９００を示す。周波数再使用に基づくマルチセル同期において、各基地局に利用可能なすべての副搬送波ではなく、副搬送波のサブセットを使用することによるパフォーマンス低下（例えば、スループット低下）を回避するのに（図９Ｂの、１２のトーンを示す例示的な図９２５を参照）、周波数再使用を用いるマルチセル動作が、特定の期間、例えば、所定の動作サイクル（例えば、１時間、１日）の間の特定の時刻、例えば、｛τ０，τ１，．．．，τＫ｝に、｛Δτ０，Δτ１，．．．，ΔτＫ｝にわたって活動状態であることが可能である。間隔外の時点［τα，τα＋Δτα］（α＝０，１，．．．，Ｋ）で、すべての副搬送波を使用する動作が、再開される。そのような時間依存の動作が、図９Ｃの例示的な図９５０に示される。或る態様において、周波数再使用動作に切り替えることは、周波数再使用で動作している基地局（例えば、ＢＳ１、ＢＳ２、およびＢＳ３）のそれぞれの内部に存在することが可能なプロセッサによって決定される。特定の時刻｛τ０，τ１，．．．，τＫ｝、および特定の時間間隔｛Δτ０，Δτ１，．．．，ΔτＫ｝は、周波数再使用を用いて動作する基地局のそれぞれの内部に存在するメモリの中に格納されることが可能である。
【００５２】
[0063]  図１０は、周波数再使用動作中に、ユーザ機器１０２０が、セルエミッタ１０４０１〜１０４０Ｌを有する複数のセルを同時に獲得する、システム１０００のアーキテクチャを示す。副搬送波セットの選択の後、基地局（例えば、１＜Ｋ＜Ｌである、基地局１０４０Ｋ）が、同期チャネル（Ｐ−ＳＣＨおよびＳ−ＳＣＨ）セル獲得符号系列およびブロードキャストチャネルセル獲得符号系列を、その選択された副搬送波セット上にマップし、その選択された副搬送波セットの中心でそれらの符号を送信する。端末装置１０４０Ｋが、それらの選択された副搬送波に関する端末装置固有の帯域幅を使用することができる。或る態様において、そのような帯域幅は、１．２５ＭＨｚと、選択された副搬送波の周波数スパンの小さい方である。ユーザ機器１０２０は、機器１０２０が、Ｌ個のデータストリームのセットを同時に検出することを可能にするアーキテクチャを有する。そのようなＬ個のストリームは、基地局１０４０１〜１０４０Ｌが通信のために使用する次数Ｌの周波数再使用と合致するＬ個の副搬送波サブセットに乗せられるＯＦＤＭシンボルに相当する。したがって、ユーザ端末装置１０２０は、Ｌ個のセルを同時に獲得することができる。端末装置１０２０のアーキテクチャは、プロセッサ１０２２と、メモリ１０２４と、検出構成要素１０２６１〜１０２６Ｌとを含むことが可能である。これらの検出構成要素のそれぞれは、検出構成要素１２２と実質的に同一の仕方で動作する（前段を参照、図１）。別の態様において、周波数再使用を用いるマルチセル獲得が、多数の端末装置が、ほぼ同時に（例えば、着陸の後、空港において課税中に、裁判所、一部の病院区域などの全端末装置オフポリシーを有する建造物を出た際に）同期することができる特定のセクタにおいて使用されることが可能である。
【００５３】
[0064]  前段に示され、説明される例示的なシステムに鑑みて、開示される主題に従って実施されることが可能な方法は、図１１〜図１３の流れ図を参照して、よりよく理解されよう。説明を簡明にするため、これらの方法は、一連のブロックとして示され、説明されるが、一部のブロックは、本明細書で示され、説明されるのとは異なる順序で、さらに／または他のブロックと同時に行われてもよいので、主張される主題は、ブロックの数または順序によって限定されないことを理解し、認識されたい。さらに、例示されるすべてのブロックが、以降に説明される方法を実施するのに要求されるわけではない可能性がある。これらのブロックに関連する機能は、ソフトウェアによって、ハードウェアによって、ソフトウェアとハードウェアの組み合わせによって、または他の任意の適切な手段（例えば、デバイス、システム、プロセス、構成要素など）によって実施されることが可能であることを認識されたい。さらに、以降、および本明細書全体にわたって開示される方法は、そのような方法を運ぶこと、および様々なデバイスに移すことを円滑にするように製造品上に格納されることが可能であることをさらに認識されたい。方法は、代替として、状態図においてなど、一連の互いに関係する状態またはイベントとして表されることも可能であることが、当業者には理解され、認識されよう。
【００５４】
[0065]  図１１は、セル獲得を実行する方法の流れ図を示す。動作で、セル情報を伝送するＰ−ＳＣＨ符号系列、Ｓ−ＳＣＨ符号系列、およびＢＣＨ符号系列を受信する。そのような情報は、ＯＦＤＭシンボル境界、周波数同期、無線フレーム境界、セル識別、巡回プレフィックスタイミング、ＢＣＨ帯域幅指示、システム帯域幅、ならびに基地局アンテナ構成、周辺セル情報などの他のシステム情報を備えることが可能である。動作１１２０で、符号系列が、処理され、例えば、相関タイミングメトリックが、計算される。或る態様において、そのような計算は、プロセッサ１２４などの、ユーザ機器内部に存在するプロセッサによって実行されることが可能である。動作１１３０で、前述したセル情報が、抽出される。
【００５５】
[0066]  図１２は、セル同期情報を中継する方法の流れ図を示す。動作１２１０で、セル探索が、本明細書で説明される１つまたは複数の態様に従って実行される（例えば、図７Ａ、図７Ｂ、または図７Ｃ）。動作１２２０で、一次同期チャネルおよび二次同期チャネル、ならびにブロードキャストチャネルに関する符号系列が、格納される。或る態様において、ストレージは、動作１２１０でセル探索を実行した端末装置内部に存在するメモリとして実現されることが可能である。そのようなメモリは、メモリ１２６であることが可能である。格納された符号系列の送信を介するセル情報の中継が、動作１２３０で達せられる。或る態様において、そのような符号系列の送信のために使用される帯域幅は、情報中継を実行するユーザ機器の能力によって決まり、そのような帯域幅は、中継するユーザ機器に符号系列を伝送する基地局によって使用される帯域幅とは異なることが可能である。
【００５６】
[0067]  図１３Ａ／図１３Ｂは、セルラー無線通信システムにおいて周波数再使用を用いてセル情報を送信／受信する方法の流れ図である。図１３Ａを最初に参照すると、動作１３１０で、次数Ｌの周波数再使用が、決定される。或る態様では、ＯＦＤＭＡにおいて、そのような周波数再使用は、システム帯域幅に適合する利用可能な副搬送波の全体のセットのなかからの、Ｌ個の副搬送波サブセットの選択、および、そのようなＬ個のサブセットの、Ｌ個のセル送信機（例えば、基地局１０４０１〜１０４０Ｌ、図９も参照）への、その後の裁定（adjudication）をもたらす可能性がある。そのような決定は、通常、事業者が、或る無線通信標準（例えば、８０１．１１ｂ、８０１．１１ｇ、３Ｇ  ＬＴＥ）を遵守することの結果である。動作１３２０で、セル情報が、決定されたＬ個の副搬送波サブセットを使用して送信される。次に、図１３Ｂを参照すると、動作１３５５で、セル情報が、Ｌ個の副搬送波サブセットから受信される。或る態様において、Ｌ個すべての符号系列送信に関してＰ−ＳＣＨ、Ｓ−ＳＣＨを検出し、ＢＣＨを復調することを同時に行うように、十分なアーキテクチャを有するユーザ機器（例えば、ユーザ機器１０２０）によって情報が検出される。動作１３６５で、セル情報が、Ｌ個の副搬送波サブセットのそれぞれから抽出される。
【００５７】
[0068]  次に図１４を参照すると、一次同期チャネルシンボルおよび二次同期チャネルシンボルの符号系列を受信することを可能にするシステム１４００が、示されている。システム１４００は、少なくとも部分的に、無線デバイス（例えば、ユーザ機器１２０）内部に存在して、プロセッサもしくは電子マシンによって、ソフトウェアによって、またはプロセッサもしくは電子マシンとソフトウェアの組み合わせ（例えば、ファームウェア）によって実施される機能を表す機能ブロックであることが可能な、機能ブロックを含むことが可能である。特に、システム１４００は、連携して動作することが可能な電子構成要素の論理グループ化１４１０を含む。或る態様において、論理グループ化１４１０は、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列（例えば、図４を参照）を受信するための電子構成要素１４１５を含む。さらに、論理グループ化１４１０は、無線フレーム境界、部分的なセル識別符号またはセル識別符号全体、およびブロードキャストチャネル帯域幅の指示の少なくとも１つを伝送する二次同期チャネルシンボルの１つまたは複数の符号系列（例えば、図４を参照）を受信するための電子構成要素１４２５を含む。さらに、論理グループ化１４１０は、巡回プレフィックスタイミングおよび無線システム帯域幅の少なくとも１つを伝送するブロードキャストチャネルシンボルの符号系列（例えば、図４を参照）を受信するための電子構成要素１４３５を備える。電子構成要素１４３５は、１．２５ＭＨｚで送信された同期チャネルシンボルの符号系列（例えば、図５Ａを参照）を受信するための電子構成要素１４３８と、１．２５ＭＨｚまたは５ＭＨｚで送信されたブロードキャストチャネルシンボルの符号系列（例えば、図５Ｂを参照）を受信するための電子構成要素１４４１とをさらに含むことに留意されたい。
【００５８】
[0069]  さらに、システム１４００は、電子構成要素１４１５、１４２５、１３３５、ならびに１４３８および１４４１に関連する機能を実行するための命令、ならびに、そのような機能を実行している間に生成していることが可能なデータを保持するメモリ１４５０を含むことが可能である。メモリ１４５０の外部に存在するものとして示されているが、電子構成要素１４１５、１４２５、１３３５、ならびに１４３８および１４４１の１つまたは複数は、メモリ１４５０内に存在することが可能であることを理解されたい。
【００５９】
[0070]  以上に説明されてきたことには、１つまたは複数の態様の例が含まれる。もちろん、前述した態様を説明する目的で構成要素または方法の考えられるすべての組み合わせを説明することは不可能であるが、様々な態様の多くのさらなる組み合わせおよび置換が可能であることが、当業者には認識され得る。したがって、説明される態様は、添付の特許請求の範囲の趣旨および範囲に含まれるすべてのそのような代替、変形、および変種を包含することを意図している。さらに、「含む」という用語が、詳細な説明または特許請求の範囲において使用される限りで、そのような用語は、「備える」という用語が、請求項におけるつなぎの言葉として使用される場合の、「備える」と同様に包含的であることを意図している。
以下に、本願出願当初の特許請求の範囲に記載された発明を付記する。
［Ｃ１］
無線通信環境において動作する装置であって、
一次同期チャネルにおいて、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を受信するように構成されたプロセッサと、
データを格納するために前記プロセッサに結合されたメモリとを備える装置。
［Ｃ２］
前記プロセッサは、二次同期チャネルにおいて、無線フレーム境界、セル識別符号の一部分、または完全なセル識別符号、およびブロードキャストチャネル帯域幅の指示の少なくとも１つを伝送する１つまたは複数の符号系列を受信するようにさらに構成されるＣ１に記載の装置。
［Ｃ３］
前記プロセッサは、ブロードキャストチャネルにおいて、巡回プレフィックスタイミングおよび無線システム帯域幅の少なくとも１つを伝送する符号系列を受信するようにさらに構成されるＣ１に記載の装置。
［Ｃ４］
前記プロセッサは、セル基地局からセル情報を獲得することができなかった無線通信システムにおける端末装置に前記符号系列を中継するようにさらに構成されるＣ１に記載の装置。
［Ｃ５］
前記プロセッサは、前記符号系列の前記中継をトリガすべき時刻をスケジュールするようにさらに構成されるＣ４に記載の装置。
［Ｃ６］
前記メモリの中に格納された前記データは、前記符号系列の前記中継をトリガすべき前記スケジュールされた時刻を含むＣ５に記載の装置。
［Ｃ７］
無線通信環境において動作する装置であって、
一次同期チャネルにおいて、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を送信するように構成されたプロセッサと、
データを格納するために前記プロセッサに結合されたメモリとを備える装置。
［Ｃ８］
前記プロセッサは、二次同期チャネルにおいて、無線フレーム境界、部分的なセル識別符号またはセル識別符号全体、およびブロードキャストチャネル帯域幅の指示の少なくとも１つを伝送する１つまたは複数の符号系列を送信するようにさらに構成されるＣ７に記載の装置。
［Ｃ９］
前記プロセッサは、ブロードキャストチャネルにおいて、巡回プレフィックスタイミングおよび無線システム帯域幅の少なくとも１つを伝送する符号系列を送信するようにさらに構成されるＣ７に記載の装置。
［Ｃ１０］
前記プロセッサは、１．２５ＭＨｚで前記符号系列を送信するようにさらに構成されるＣ７に記載の装置。
［Ｃ１１］
前記プロセッサは、システムＢＷ（帯域幅）が５ＭＨｚより小さい場合、１．２５ＭＨｚで前記符号系列を送信し、さらに、ＢＷが、５ＭＨｚ以上である場合、５ＭＨｚで前記符号系列を送信するようにさらに構成されるＣ９に記載の装置。
［Ｃ１２］
前記プロセッサは、前記符号系列を中継する要求を送信するようにさらに構成されるＣ７に記載の装置。
［Ｃ１３］
前記プロセッサは、前記１つまたは複数の符号系列を中継する要求を送信するようにさらに構成されるＣ８に記載の装置。
［Ｃ１４］
前記プロセッサは、前記符号系列を中継する要求を送信するようにさらに構成されるＣ９に記載の装置。
［Ｃ１５］
前記プロセッサは、ダウンリンクにおいて前記符号系列を送信することを一時的に停止して、オーバヘッドを低減するようにさらに構成されるＣ１２に記載の装置。
［Ｃ１６］
前記プロセッサは、ダウンリンクにおいて前記１つまたは複数の符号系列を送信することを一時的に停止して、オーバヘッドを低減するようにさらに構成されるＣ１３に記載の装置。
［Ｃ１７］
前記プロセッサは、ダウンリンクにおいて前記符号系列を送信することを一時的に停止して、オーバヘッドを低減するようにさらに構成されるＣ１４に記載の装置。
［Ｃ１８］
サービスセル内の同期された端末装置の瞬間平均チャネル品質指標または時間平均チャネル品質指標または空間平均チャネル品質指標に少なくとも或る程度、基づいて、前記符号系列を中継する要求を、同期された端末装置にいつ送信すべきかを推論する人工知能構成要素をさらに備えるＣ７に記載の装置。
［Ｃ１９］
サービスセル内の同期された端末装置の瞬間平均チャネル品質指標または時間平均チャネル品質指標または空間平均チャネル品質指標に少なくとも或る程度、基づいて、前記１つまたは複数の符号系列を中継する要求を、同期された端末装置にいつ送信すべきかを推論する人工知能構成要素をさらに備えるＣ８に記載の装置。
［Ｃ２０］
サービスセル内の同期された端末装置の瞬間平均チャネル品質指標または時間平均チャネル品質指標または空間平均チャネル品質指標に少なくとも或る程度、基づいて、前記符号系列を中継する要求を、同期された端末装置にいつ送信すべきかを推論する人工知能構成要素をさらに備えるＣ９に記載の装置。
［Ｃ２１］
前記プロセッサは、前記装置が周波数再使用を用いて動作する時刻および時間間隔をスケジュールするようにさらに構成されるＣ７に記載の装置。
［Ｃ２２］
直交周波数分割多元接続を使用する無線通信環境において動作する装置であって、
複数の副搬送波間隔において複数のセル情報を同時に獲得する複数の検出構成要素と、
前記複数のセル情報を処理するように構成されたプロセッサと、
データを格納するために前記プロセッサに結合されたメモリとを備える装置。
［Ｃ２３］
無線通信環境において動作する装置であって、
巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を受信するための手段と、
無線フレーム境界、部分的なセル識別符号またはセル識別符号全体、およびブロードキャストチャネル帯域幅の指示の少なくとも１つを伝送する二次同期チャネルシンボルの１つまたは複数の符号系列を受信するための手段とを備える装置。
［Ｃ２４］
巡回プレフィックスタイミングおよび無線システム帯域幅の少なくとも１つを伝送するブロードキャストチャネルシンボルの符号系列を受信するための手段をさらに備えるＣ２３に記載の装置。
［Ｃ２５］
１．２５ＭＨｚで送信された同期チャネルシンボルの符号系列を受信するための手段と、
１．２５ＭＨｚまたは５ＭＨｚで送信されたブロードキャストチャネルシンボルの符号系列を受信するための手段とをさらに備えるＣ２４に記載の装置。
［Ｃ２６］
マシンによって実行されると、
巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を受信すること、
無線フレーム境界、セル識別符号の一部分、または完全なセル識別符号、およびブロードキャストチャネル帯域幅の指示の少なくとも１つを伝送する二次同期チャネルシンボルの１つまたは複数の符号系列を受信すること、および
巡回プレフィックスタイミングおよび無線システム帯域幅の少なくとも１つを伝送するブロードキャストチャネルシンボルの符号系列を受信することを含む動作を前記マシンに実行させる命令を備えるマシン可読媒体。
［Ｃ２７］
マシンによって実行されると、
巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を１．２５ＭＨｚで送信すること、および
無線フレーム境界、セル識別符号の一部分、または完全なセル識別符号、およびブロードキャストチャネル帯域幅の指示の少なくとも１つを伝送する二次同期チャネルシンボルの１つまたは複数の符号系列を１．２５ＭＨｚで送信することを含む動作を前記マシンに実行させる命令を備えるマシン可読媒体。
［Ｃ２８］
無線通信システムにおいて使用される方法であって、
Ｐ−ＳＣＨ（一次同期チャネル）において、巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする符号系列を受信すること、
Ｓ−ＳＣＨ（二次同期チャネル）において、無線フレーム境界、部分的なセル識別符号またはセル識別符号全体、およびブロードキャストチャネル帯域幅の指示の少なくとも１つを伝送する１つまたは複数の符号系列を受信すること、
ＢＣＨ（ブロードキャストチャネル）において、巡回プレフィックスタイミングおよび無線システム帯域幅の少なくとも１つを伝送する符号系列を受信すること、および
Ｐ−ＳＣＨ符号系列、Ｓ−ＳＣＨ符号系列、およびＢＣＨ符号系列を処理して、前記符号系列によって伝送されるセル情報を抽出することを備える方法。
［Ｃ２９］
前記一次同期チャネルおよび前記二次同期チャネルにおいて前記符号系列を１．２５ＭＨｚで受信すること、および
前記ブロードキャストチャネルにおいて前記符号系列を１．２５ＭＨｚまたは５ＭＨｚで受信することをさらに備えるＣ２８に記載の方法。
［Ｃ３０］
前記一次同期チャネルおよび前記二次同期チャネル、ならびに前記ブロードキャストチャネルから抽出された前記セル情報を格納すること、および
前記セル情報を中継することをさらに備えるＣ２８に記載の方法。
［Ｃ３１］
前記セル情報を中継すべき時刻をスケジュールすることをさらに備えるＣ２８に記載の方法。
［Ｃ３２］
Ｃ２８に記載の方法を実行するように構成された電子デバイス。
［Ｃ３３］
無線通信システムにおいて使用される方法であって、
巡回プレフィックス持続時間、セル識別符号の一部分、ブロードキャストチャネル帯域幅の指示の少なくとも１つを伝送し、直交周波数分割多重化シンボル境界検出、スロット境界検出、およびサブフレーム境界検出を円滑にする一次同期チャネルシンボルの符号系列を送信すること、
無線フレーム境界、部分的なセル識別符号またはセル識別符号全体、およびブロードキャストチャネル帯域幅の指示の少なくとも１つを伝送する二次同期チャネルシンボルの１つまたは複数の符号系列を送信すること、および
ブロードキャストチャネルにおいて、巡回プレフィックスタイミングおよび無線システム帯域幅の少なくとも１つを伝送する符号系列を送信することを備える方法。
［Ｃ３４］
周波数再使用を用いて、前記一次同期チャネルおよび前記二次同期チャネルに関するシンボルの前記符号系列、ならびに前記ブロードキャストチャネルに関するシンボルの前記符号系列を送信することをさらに備えるＣ３３に記載の方法。
［Ｃ３５］
前記符号系列は、ウォルシュ−アダマール系列であるＣ３３に記載の方法。
［Ｃ３６］
前記符号系列は、ゴールド系列であるＣ３３に記載の方法。
［Ｃ３７］
前記符号系列は、擬似雑音系列であるＣ３３に記載の方法。
［Ｃ３８］
前記符号系列は、Ｍ系列（最大長系列）であるＣ３３に記載の方法。
［Ｃ３９］
前記符号系列は、一般化されたチャープ様の系列であるＣ３３に記載の方法。
［Ｃ４０］
前記符号系列は、ウォルシュ−アダマール系列、ゴールド系列、擬似雑音系列、最大長系列、および一般化されたチャープ様の系列の任意の組み合わせであるＣ３３に記載の方法。
［Ｃ４１］
Ｃ３３に記載の方法を実行するように構成された電子デバイス。
【図１】
0006301532.tif 000004
【図２】
0006301532.tif 000005
【図３】
0006301532.tif 000006
【図４】
0006301532.tif 000007
【図５Ａ】
0006301532.tif 000008
【図５Ｂ】
0006301532.tif 000009
【図６】
0006301532.tif 000010
【図７Ａ】
0006301532.tif 000011
【図７Ｂ】
0006301532.tif 000012
【図７Ｃ】
0006301532.tif 000013
【図８Ａ】
0006301532.tif 000014
【図８Ｂ】
0006301532.tif 000015
【図９Ａ】
0006301532.tif 000016
【図９Ｂ】
0006301532.tif 000017
【図９Ｃ】
0006301532.tif 000018
【図１０】
0006301532.tif 000019
【図１１】
0006301532.tif 000020
【図１２】
0006301532.tif 000021
【図１３Ａ】
0006301532.tif 000022
【図１３Ｂ】
0006301532.tif 000023
【図１４】
0006301532.tif 000024